(57)【要約】【課題】熟練者でなくても容易に法面形成作業ができ、かつ、バケットの作業位置が操縦席より高所であっても容易にバケットの角度を確認することのできるバケット傾斜角度指示器を提供する。【解決手段】円筒状容器の内部に、錘と基準矢印を備えた円盤状部材を回動可能に軸支し、容器内部を液体で充填し、かつ円盤状部材には複数の穴を形成することで基準矢印の動きをスムーズにするとともに、前記基準矢印や、円筒状容器の周面に設けられた目盛部、摺動自在でかつ係止可能な角度指示部をそれぞれ２か所に設けた構成とする。【選択図】図１
2013083089.tif 000002
【特許請求の範囲】
【請求項１】
ショベル機のバケットに中心軸が水平方向であって操縦席から円周部が目視可能になるように取り付けられる円筒状のバケット傾斜角度指示器であって、内部に液体が充填された円筒状容器と、該円筒状容器の中心に回転軸を介して回動自在に軸支され、かつ錘部を備えた円盤状部材と、該円盤状部材の外周に固設された基準指示部と、円筒状容器の周面に設けられた目盛部と、該目盛部に対応する任意の位置に摺動自在でかつ係止可能な角度指示部とから構成されることを特徴とするバケット傾斜角度指示器。
【請求項２】
上記円盤状部材は、複数の穴が穿設されていることを特徴とする請求項１記載のバケット傾斜角度指示器。
【請求項３】
上記基準指示部、目盛及び角度指示部は、所定の位置に一定間隔をあけてそれぞれ２ヶ所に設けられていることを特徴とする請求項１又は請求項２記載のバケット傾斜角度指示器。
【発明の詳細な説明】
【技術分野】
【０００１】
本発明は、法面形成作業等を行う場合に、ショベル機のバケットの傾斜角度が操縦席から容易に目視できるようにするためのバケット傾斜角度指示器に関するものである。
【背景技術】
【０００２】
土木作業において法面を所定勾配に仕上げる作業は、ショベル機のバケットを所定角度に保った状態で、バケットを法面に沿って移動させて切り崩しつつ均すことで行われるが、法面勾配を所定角度にするためには、従来は、作業開始前に切り込み等をつけてから、ショベル機の操縦者が目測で作業をして勾配を形成し、その後、計測器などで勾配を確認して最終仕上げをするなどしていた。
【０００３】
従来の作業方法では、目測で作業するために熟練者でなければ作業できず、また、熟練者であっても誤差が生じることから作業を何度も中断して確認をしながら作業するために、非常に効率が悪く、作業に時間がかかるという問題があった。
【０００４】
最近では、バケットを操作する作業アームの関節等に角度検出部を設けて、この検出値に基づいてバケットの位置や角度を操作できる角度検出装置を備えた種々のショベル機が提案されているが、このようなショベル機は構造が複雑なため高価であり、また、角度検出装置を備えていない従来のショベル機では利用できないという問題がある。
【先行技術文献】
【特許文献】
【０００５】
【特許文献１】特開２０１１−５８２６８
【発明の概要】
【発明が解決しようとする課題】
【０００６】
上記問題点より、本発明は、ショベル機での法面形成作業において、操縦席からバケットの傾斜角度が確認でき、特にバケットが操縦席よりも高い位置にある場合であっても目視できるようにすることで、熟練者でなくとも容易に作業ができ、かつ作業効率を高めるとともに、バケットへの取り付けも簡単で安価なバケット傾斜角度指示器を提供しようとするものである。
【課題を解決するための手段】
【０００７】
上記課題を解決するため、本発明のバケット傾斜角度指示器は、ショベル機のバケットに中心軸が水平方向であって操縦席から円周部が目視可能になるように取り付けられる円筒状のバケット傾斜角度指示器であって、内部に液体が充填された円筒状容器と、該円筒状容器の中心に回転軸を介して回動自在に軸支され、かつ錘部を備えた円盤状部材と、該円盤状部材の外周に固設された基準指示部と、円筒状容器の周面に設けられた目盛部と、該目盛部に対応する任意の位置に摺動自在でかつ係止可能な角度指示部とから構成されることを特徴とするものである。
【０００８】
また、上記円盤状部材に複数の穴を穿設することで、基準指示部の動きがスムーズかつ安定するとともに、上記基準指示部、目盛及び角度指示部を所定の位置に一定間隔をあけてそれぞれ２ヶ所に設けることで、バケットが操縦席よりも高い位置で作業する際にも、容易にバケット傾斜角度を目視できるようにした。
【発明の効果】
【０００９】
本発明のバケット傾斜角度指示器によれば、法面建形成作業において、操縦席からバケットを動かして基準指示部のマークを角度指示部のマークと一致させるだけで、バケットを予め設定した傾斜角度にすることができるため、熟練者でなくとも容易に作業ができ、作業効率も高くなる。
【００１０】
また、本発明のバケット傾斜角度指示器は、内部が液体で充填されるとともに、錘部及び基準指示部を備えた回転自在の円盤状部材に複数の穴が穿設されていることから、該穴が抵抗力を有することで、基準指示部がスムーズに、かつ安定して動くことができ、目視が容易となる。
【００１１】
さらに、本発明のバケット傾斜角度指示器は、基準指示部、目盛及び角度指示部が所定の位置にそれぞれ２ヶ所設けられていることから、バケットが操縦席よりも高い位置で作業する場合であっても、いずれかの基準指示部と角度指示部を目視して一致させることで、所定のバケット傾斜角度にでき、簡単に作業することが可能となる。
【図面の簡単な説明】
【００１２】
【図１】図１は、本発明のバケット傾斜角度指示器を取り付けた状態を示す斜視図である。
【図２】図２は、本発明のバケット傾斜角度指示器における円盤状部材の分解斜視図である。
【図３】図３は、本発明のバケット傾斜角度指示器における円筒状容器の分解斜視図である。
【図４】図４は、本発明のバケット傾斜角度指示器における目盛部を示す正面図である。
【図５】図５は、本発明のバケット傾斜角度指示器を示す正面図である。
【発明を実施するための形態】
【００１３】
以下、本発明の一実施の形態を図面に基づき説明する。
図１に示すように、本発明のバケット傾斜角度指示器１は、ショベル機のバケット３に支持部２が固定され、該支持部２にクランプ手段１７によって取り付けられる。
【００１４】
バケット傾斜角度指示器１は、内部に液体が充填された円筒状容器５と、該円筒状容器の中心に回転軸を介して回動自在に軸しされた円盤状部材８、該円盤状部材８の下部に固着された錘部１３と、円盤状部材８の外周に固設された基準指示部１４ａ及び１４ｂと、円筒状容器５の周面に設けられた溝部１６ａ及び１６ｂに合うように取り付けられた目盛部１９ａ及び１９ｂと、該目盛部にそれぞれ対応し、各溝部を摺動自在でかつ係止可能な角度指示部１８ａ及び１８ｂとから構成される。
【００１５】
円筒状容器５は、図３に示すように、溝部１６ａ及び１６ｂが設けられた筒体の側面開口部に側板６ａ及び６ｂを嵌合させて構成される。この円筒状容器は、側板を含め透明のアクリル製とするのが好ましい。
【００１６】
さらに、円筒状容器５の側面は、アルミ製の側板７ａ及び７ｂがボルトやビスなどが取り付けられる。尚、アクリル製の側板６ａ及びアルミ製の側板７ａは、溝部１６ａ及び１６ｂが円筒状容器の容器内の外側にとなるような位置に取り付けられる。
【００１７】
円筒状容器５の中心には、円盤状部材８が軸部材９及び１１によって取り付けられる。軸部材９及び１１は、円盤状部材８の中心にボルトによって固定されて回転軸１０が構成される。そして、軸部材９の両端には、ベアリング１２ａ及び１２ｂが取り付けられることで、円盤状部材８は、該回転軸１０により回動自在となる。さらに円盤状部材８の下部には錘部１３が設けられていることから、錘部は常に垂直方向に位置し、従って、円盤状部材の外周に固設された基準指示部１４ａ及び１４ｂは常に同じ角度に位置することになる。
【００１８】
円盤状部材８は、金属製の円盤状のものであり、下部には錘部１３を有し、外周の所定位置には基準指示部１４ａ及び１４ｂが取り付けられる。基準指示部１４ａ及び１４ｂは、目視で簡単に確認できるように矢印の形状とするのが好ましい。
【００１９】
また、円筒状容器５内にはオイルが充填される。内部にオイルが存在することで、円筒状容器５が傾いたときに錘部１３が垂直方向に移動することに伴って円盤状部材８の回動がスムーズになる。さらに、円盤状部材８には、複数の穴１５が設けられており、この穴が抵抗の役目を果たし、円盤状部材８の動き、すなわち基準指示部１４ａ及び１４ｂの動きがゆっくりと安定した動きになる。
【００２０】
図４は、目盛部１９ａ及び１９ｂを示した図であり、０の矢印を基準として、上下に同じ目盛が設けられている。また、溝部１６ａ及び１６ｂに対応する穴も設けられている。該目盛部は、円筒状容器５の周面の所定位置に、各溝部１６に対応させて取り付けられる。
【００２１】
溝部１６ａ及び１６ｂには、角度指示部１８ａ及び１８ｂが取り付けられる。該角度指示部は、基準指示部と対応させて矢印の形状とするのが好ましく、この矢印の背面にねじ等を備え、溝部１６ａ及び１６ｂ内を移動可能かつ係止できるような構成とする。
【００２２】
次に、本発明のバケット傾斜角度指示器１の作用について説明する。本発明のバケット傾斜角度指示器１は、図１に示すように、ショベル機のバケットに取り付けられる。そして、法面形成作業前に、法面の傾斜角度にあわせて所望するバケットの傾斜角度の位置に角度指示部１８ａ又は１８ｂを移動かつ係止する。そして、作業の際は、角度指示部に基準指示部が合うようにバケットを動かして角度を決定し、その状態で法面を形成していく。この時、角度指示部及び基準指示部は、上下２か所に設けられているため、バケットの作業位置がショベル機の操縦席よりも高い位置であっても、簡単に目視で確認できることから、熟練者でなくとも容易に作業できることになる。
【００２３】
以上のとおり、本発明のバケット傾斜角度指示器は、熟練者でなくとも法面形成作業ができるようにするものであり、バケット傾斜角度の指示部がブレないことで確認が容易にできるものであり、また、特にバケットが高所で作業する場合であってもバケット傾斜角度の確認が簡単にできるものである。
【符号の説明】
【００２４】
１    バケット傾斜角度指示器
３    バケット
５    円筒状容器
８    円盤状部材
１０    回転軸
１３    錘部
１４ａ、１４ｂ    基準指示部
１６ａ、１６ｂ    溝部
１８ａ、１８ｂ    角度指示部    
１９ａ、１９ｂ    目盛部
【図１】
2013083089.tif 000003
【図２】
2013083089.tif 000004
【図３】
2013083089.tif 000005
【図４】
2013083089.tif 000006
【図５】
2013083089.tif 000007